(57)【要約】      （修正有）【課題】空調用機器に簡便に取り付けることが可能なフィルターを提供する。【解決手段】濾材１と枠５からなるフィルターで枠５から濾材１が着脱自在であり、濾材１を折り曲げてプリーツ状にスペーサーで固定してあり、濾材１に用意された折り曲げ可能部位２はスペーサーの一部をプリーツの一つに沿って欠損させて作成されてあり、濾材１の枠５と接する面にシート状部材を貼り付けてある。枠５の濾材１を着脱する面は枠に気流が流入する面５３か流出する面５２であり、枠５は濾材１を着脱する際に折り曲げて山が出来る方向と平行な方向の面には濾材１を保持するための立ち上がり５１があり、山が出来る方向と垂直な方向の面には立ち上がりがない。この構成により濾材１を枠５から着脱する際には折り曲げ可能な部位２にて濾材１を折り曲げて着脱でき、フィルターとして使用する際には濾材１をまっすぐに略直方体状にすることができる。【選択図】図４
0003213829.tif 000002
【実用新案登録請求の範囲】
【請求項１】
濾材と枠からなるフィルターであって、濾材を折り曲げてプリーツ状に固定してあり、枠から濾材が着脱自在であり、濾材に一か所または複数か所で折り曲げ可能な部位が用意され、濾材を枠から着脱する際には折り曲げ可能な部位にて濾材を折り曲げて着脱し、フィルターとして使用する際には濾材をまっすぐに略直方体状にすることを特徴とするフィルター。
【請求項２】
前記濾材は、スペーサーにてプリーツ状に固定され、前記折り曲げ可能部位はスペーサーの一部をプリーツの一つに沿って欠損させて作成されていることを特徴とする、請求項１に記載のフィルター。
【請求項３】
前記濾材は、枠と接する四面のうちの全部または一部にシート状部材を貼り付けて濾材と枠の気密性を高めていることを特徴とする、請求項１又は２に記載のフィルター。
【請求項４】
前記枠の前記濾材を着脱する面は枠に気流が流入する面か流出する面のどちらかであり、濾材を着脱する際に折り曲げて山が出来る方向と平行な方向の面には濾材を保持するための立ち上がりがあり、濾材を折り曲げて垂直な方向の面には立ち上がりがないことを特徴とする、請求項１から３のいずれか一つに記載のフィルター。
【考案の詳細な説明】
【技術分野】
【０００１】
本考案は空調機器に設置するフィルターで、濾材を枠から取り出して交換するフィルターに関する。
【背景技術】
【０００２】
従来、ビルや工場等の空調機器に設置する中高性能フィルターは、濾材とこれを保持する枠からなる。枠と濾材を接着して一体化させたタイプや、枠から濾材のみを取り出して交換できるタイプ等がある。枠の材料には金属、木、紙等が使用される。また濾材としては、不織布をプリーツ状に折り曲げて空気に接する面積を増やしたものが使用される。プリーツ状に折られた濾材は、形状が崩れたりプリーツ同士がくっついたりすることを防止するため、プリーツと垂直方向に設けられたスペーサーにて形状を固定されることが多い。
【０００３】
特に、枠から濾材を取り出す事が出来るタイプは、汚れた濾材のみを交換し枠を繰り返し使用出来るので経済的である。枠と濾材との間に隙間を作らないという気密性と簡単に濾材を取り出すことができるという簡便性を両立させるため、様々な構造上の工夫がなされてきた（例えば、特許文献１参照）。これは枠の左右の横側板の内側にL字かぎ状のアングル部材を上下方向に取り付け、プリーツ状の濾材を上下方向に向けて上方から挿入する際に左右最端のプリーツをかぎ状のアングル部材とかみ合うようにしている。しかし、これでは交換の際に枠を取り出した上で枠上部を取り外さねばならず、交換が煩雑で枠の構造も複雑になってしまう。また、プリーツが形成された濾材と、プリーツのジグザグ形状の端部を固定する板状部材からなり、プリーツの両側端部にわたる中間部のみが板状部材に固定され、かつ、プリーツの両側端部が圧縮による枠の側板に対するシール機能を有してなることを特徴とするものもある（例えば、特許文献２参照）。しかし、この方法では着脱時にプリーツを力で圧縮する必要がある。このように、いずれの方法も素早くフィルターを着脱するには慣れが必要であり、簡便性に欠ける。
【先行技術文献】
【特許文献】
【０００４】
【特許文献１】特開２００２−２２４５２３号  公報
【特許文献２】特許第５７２７８７９号  公報
【考案の概要】
【考案が解決しようとする課題】
【０００５】
枠から濾材のみを取り出して交換するタイプのフィルターにおいて、フィルターの気密性と濾材の交換の簡便性を両立した構造のものがないという問題があった。
【０００６】
本考案は、上記問題点を解決するためになされたものであり、簡便に交換可能なフィルターを提供することを目的とする。
【課題を解決するための手段】
【０００７】
濾材１と枠５からなるフィルターであって、濾材１を折り曲げてプリーツ状に固定してあり、枠５から濾材１が着脱自在であり、濾材１に一か所または複数か所で折り曲げ可能な部位２が用意され、濾材１を枠５から着脱する際には折り曲げ可能な部位２にて濾材１を折り曲げて着脱し、フィルターとして使用する際には濾材１をまっすぐに略直方体状にすることを特徴とするフィルター。
【０００８】
前記濾材１は、スペーサー３にてプリーツ状に固定され、前記折り曲げ可能部位２はスペーサー３の一部をプリーツの一つに沿って欠損させて作成されていることを特徴とするフィルター。
【０００９】
前記濾材１は、枠５と接する四面のうちの全部または一部にシート状部材４を貼り付けて濾材１と枠５の気密性を高めていることを特徴とするフィルター。
【００１０】
前記枠５の前記濾材１を着脱する面は枠５に気流が流入する面か流出する面のどちらかであり、濾材１を着脱する際に折り曲げて山が出来る方向と平行な方向の面には濾材１を保持するための立ち上がり５１があり、濾材１を折り曲げて垂直な方向の面には立ち上がりがないことを特徴とするフィルター。
【考案の効果】
【００１１】
本考案のフィルターによれば、濾材１を折り曲げる事が出来るので、枠５に気流が流入する面５３または流出する面５２から濾材１を容易に着脱することが出来る。フィルターの使用時には濾材１をまっすぐに元に戻せば通常のフィルターと変わりなく性能を発揮する。
【００１２】
本考案のフィルターの濾材１はスペーサー３にてプリーツ状に固定され、折り曲げ可能部位２はスペーサー３の一部をプリーツの一つに沿って欠損させて作成されている構造を取ることが出来る。プリーツ状の濾材１をスペーサー３で固定することは頻繁に行われており、本考案の濾材１はスペーサー３の一部を欠損させるだけで作成できるので、本考案の濾材１は既存の生産ラインを利用して容易に製造することが出来る。
【００１３】
本考案のフィルターによれば、濾材１の枠５と接する面にはシート状部材４を貼ることが出来る。このシート状部材４は濾材１の形状を保持する役割を担うと同時に、枠５に濾材１を装着した際に枠５との隙間をなくし、気密性を上げる役割を担う。
【００１４】
本考案のフィルターに用いる枠５の濾材１を着脱する面は、濾材１を着脱する際に折り曲げて山が出来る方向と平行な方向の面には濾材を保持するための立ち上がり５１があり、濾材１を折り曲げて垂直な方向の面には立ち上がりがない構造を取ることが出来る。この構造であれば、枠５に濾材１を摺動して入れることが出来る。この入れ方であれば、枠５を分解したり枠５に新たな部品を取り付けたりする必要が無く、濾材１の着脱が容易である。さらに、枠５の構造を簡易にすることが出来る。また、立ち上がり５１によって濾材１が保持されるため、まっすぐに戻した濾材１がこの面から抜け落ちる事もない。
【図面の簡単な説明】
【００１５】
【図１】本考案に係る濾材を折り曲げたときの構成
【図２】本考案に係るフィルターの構成
【図３】本考案に係る枠を、濾材を装着する側から見た構成
【図４】本考案に係る濾材の枠への装着方法の一例の概略図
【図５】本考案に係る濾材をまっすぐに略直方体状にしたときの構成
【図６】本考案に係る濾材のスペーサーに櫛を使用した構成
【図７】本考案に係る濾材のスペーサーに接着剤を使用した構成
【考案を実施するための形態】
【００１６】
以下、本考案を実施するための形態について説明する。
【００１７】
本考案のフィルターは、濾材１と枠５からなる。濾材１としては、合成繊維やガラス繊維からなる不織布が好ましい。濾材１は図１のようにプリーツ状に形成され、スペーサー３にて形状を固定されている。スペーサー３としては、図６のように櫛状の樹脂や板紙等をプリーツと垂直方向に差して用いたり、図７のように接着剤をプリーツと垂直方向にビード状に塗布して用いたりすることが好ましい。プリーツ状に固められた濾材１は折り曲げ部位２が設けられている。濾材１は、保管時や枠５への装着時には図５のようにまっすぐに略直方体状にする。図１では折り曲げ部位２が一か所のみであるが、折り曲げ部位２が複数か所設けられていても良い。折り曲げ部位２は、スペーサー３の一部をプリーツの一つに沿って欠損させて作ることができる。この方法で、一つのプリーツを支点に濾材１を折り曲げる事が出来る。枠５への装着後には図２のように濾材１をまっすぐに略直方体状に元に戻す。さらに、この濾材１の周囲にはシート状部材４を貼ることが好ましい。このシート状部材４には、シート状の不織布やシート状のスポンジを用いることが好ましい。このシート状部材４を貼ることで、濾材１の形状を保ち、かつ濾材１を枠５に装着した際に枠５との隙間をなくし気密性を上げることが出来る。
【００１８】
本考案の枠５は、金属板もしくは木材で作ることが好ましい。図濾材１を着脱する面は枠に気流が流入する面５３か流出する面５２のどちらかであることが好ましい。図３のように、濾材１を着脱する面は、濾材１を着脱する際に折り曲げて山が出来る方向と平行な方向の面には濾材を保持するための立ち上がり５１があり、濾材１を折り曲げて垂直な方向の面には立ち上がりがない構造を取ることが好ましい。立ち上がりが無い面ではシート状部材４を貼った濾材１が摺動して装着され、装着後は立ち上がり５１があるので濾材１が枠５より抜け落ちることはない。枠５の濾材１を着脱しない面には、棒などで補強を入れても良い。
【００１９】
以上の構成に寄れば、図４のように濾材１を折り曲げ部位２で曲げ、枠５に着脱することが出来る。尚、図４では気流が流入する面５３から濾材を着脱しているが、気流が流出する面５２から濾材を着脱する構成に替えても、本考案の範囲内であることは言うまでもない。濾材１を曲げるだけなので、容易に濾材１を枠５から着脱することが出来る。
【符号の説明】
【００２０】
１    プリーツ状の濾材
２    折り曲げ可能部位
３    スペーサー
３１  櫛型のスペーサー
３２  接着剤を固めたスペーサー
４    シート状部材
５    枠
５１  立ち上がり
５２  枠に気流が流出する側
５３  枠に気流が流入する側
【図１】
0003213829.tif 000003
【図２】
0003213829.tif 000004
【図３】
0003213829.tif 000005
【図４】
0003213829.tif 000006
【図５】
0003213829.tif 000007
【図６】
0003213829.tif 000008
【図７】
0003213829.tif 000009
【手続補正書】
【提出日】平成29年10月6日(2017.10.6)
【手続補正１】
【補正対象書類名】実用新案登録請求の範囲
【補正対象項目名】請求項４
【補正方法】変更
【補正の内容】
【請求項４】
前記枠の前記濾材を着脱する面は枠に気流が流入する面か流出する面のどちらかであり、濾材を着脱する際に折り曲げて山が出来る方向と平行な方向の面には濾材を保持するための立ち上がりがあり、濾材を折り曲げて山が出来る方向と垂直な方向の面には立ち上がりがないことを特徴とする、請求項１から３のいずれか一つに記載のフィルター。
【手続補正２】
【補正対象書類名】明細書
【補正対象項目名】００１０
【補正方法】変更
【補正の内容】
【００１０】前記枠５の前記濾材１を着脱する面は枠５に気流が流入する面か流出する面のどちらかであり、濾材１を着脱する際に折り曲げて山が出来る方向と平行な方向の面には濾材１を保持するための立ち上がり５１があり、濾材１を折り曲げて山が出来る方向と垂直な方向の面には立ち上がりがないことを特徴とするフィルター。
【手続補正３】
【補正対象書類名】明細書
【補正対象項目名】００１４
【補正方法】変更
【補正の内容】
【００１４】  本考案のフィルターに用いる枠５の濾材１を着脱する面は、濾材１を着脱する際に折り曲げて山が出来る方向と平行な方向の面には濾材を保持するための立ち上がり５１があり、濾材１を折り曲げて山が出来る方向と垂直な方向の面には立ち上がりがない構造を取ることが出来る。この構造であれば、枠５に濾材１を摺動して入れることが出来る。この入れ方であれば、枠５を分解したり枠５に新たな部品を取り付けたりする必要が無く、濾材１の着脱が容易である。さらに、枠５の構造を簡易にすることが出来る。また、立ち上がり５１によって濾材１が保持されるため、まっすぐに戻した濾材１がこの面から抜け落ちる事もない。
【手続補正４】
【補正対象書類名】明細書
【補正対象項目名】００１８
【補正方法】変更
【補正の内容】
【００１８】  本考案の枠５は、金属板もしくは木材で作ることが好ましい。図濾材１を着脱する面は枠に気流が流入する面５３か流出する面５２のどちらかであることが好ましい。図３のように、濾材１を着脱する面は、濾材１を着脱する際に折り曲げて山が出来る方向と平行な方向の面には濾材を保持するための立ち上がり５１があり、濾材１を折り曲げて山が出来る方向と垂直な方向の面には立ち上がりがない構造を取ることが好ましい。立ち上がりが無い面ではシート状部材４を貼った濾材１が摺動して装着され、装着後は立ち上がり５１があるので濾材１が枠５より抜け落ちることはない。枠５の濾材１を着脱しない面には、棒などで補強を入れても良い。